(57)【要約】  自動注射デバイスは、デバイスのハウジング内に摺動可能に取り付けられた引き込み可能部材、および引き込み可能部材をハウジングから押し出してキャップをデバイスから取り外すキャップ取り外しアクチュエータを含むキャップ取り外し機構と；薬剤をデバイスから排出するための駆動要素を含む投薬機構と；１回目に押したときにキャップ取り外し機構を起動し、放したときに投薬機構に係合し、２回目に押したときに投薬機構を起動する投薬ボタンとを含む。投薬機構は、投薬ボタンを１回目に押して放したときに投薬ボタンに係合するように構成された係合要素を含む。
2018535058.tif 000002
【特許請求の範囲】
【請求項１】
自動注射デバイス（１００）であって：
デバイスのハウジング内に摺動可能に取り付けられた引き込み可能部材（１１１）、および該引き込み可能部材をハウジングから押し出してキャップ（１２）をデバイスから取り外すキャップ取り外しアクチュエータ（１１２）を含むキャップ取り外し機構（１１０）と；
薬剤（１６）をデバイスから排出するための駆動要素（１２１）を含む投薬機構（１２０）と；
１回目に押したときにキャップ取り外し機構を起動し、放したときに投薬機構に係合し、２回目に押したときに投薬機構を起動するように構成された投薬ボタン（１４０）とを含み；
ここで、投薬機構は、投薬ボタンを１回目に押して放したときに投薬ボタンに係合するように構成された係合要素（１２２）を含む前記自動注射デバイス。
【請求項２】
キャップ取り外しアクチュエータはキャップ取り外しばね（１１２）を含む、請求項１に記載のデバイス。
【請求項３】
投薬機構は、ロックされているときに投薬機構の起動を防ぐように構成されたロッキング手段を含み、
引き込み可能部材は、該引き込み可能部材がデバイスのハウジング内に押されたときにロッキング手段をロック解除するように構成される、請求項１または２に記載のデバイス。
【請求項４】
引き込み可能部材は引き込み可能スリーブの形である、請求項１〜３のいずれか１項に記載のデバイス。
【請求項５】
投薬ボタンは第１の部材と第２の部材とを含み、第１の部材は、１回目に押したときに第２の部材に連結し、放したときに第２の部材と共に引き込まれるように構成される、請求項１〜４のいずれか１項に記載のデバイス。
【請求項６】
投薬ボタンの第２の部材は、投薬ボタンの第１の部材とは異なる色である、請求項５に記載のデバイス。
【請求項７】
投薬ボタンの第２の部材は、第１の部材により引き込まれたときに、投薬機構の係合要素に係合するように配置され、投薬ボタンを２回目に押したときに投薬機構を起動するように構成される、請求項５または６に記載のデバイス。
【請求項８】
係合要素は、投薬ボタンの第２の部材により係合解除位置に拘束され、投薬ボタンを放したときに係合位置に入るように構成され；
係合要素は係合位置で第２の部材に係合するように配置される、請求項７に記載のデバイス。
【請求項９】
投薬ボタンは、キャップ取り外し機構により係合解除位置に保持され、キャップ取り外し機構が起動されると係合位置に入るように構成されたばね要素（２４４）を含み；
ばね要素は、係合位置で投薬機構に係合するように配置される、請求項１〜５のいずれか１項に記載のデバイス。
【請求項１０】
投薬ボタンを１回目に押して放したときに露出されるアクティブ状態マーキング（３５１）をさらに含む、請求項１〜９のいずれか１項に記載のデバイス。
【請求項１１】
投薬ボタンを１回目に押して放したときにアクティブ状態マーキングと位置合わせされる観察窓（３５０）をさらに含む、請求項１０に記載のデバイス。
【請求項１２】
初期状態マーキング（３５１）と最終状態マーキング（３５１）とをさらに含み；ここで、投薬ボタンを押す前に観察窓が初期状態マーキングと位置合わせされ、投薬ボタンを２回目に押したときに最終状態マーキングと位置合わせされる、請求項１１に記載のデバイス。
【請求項１３】
薬剤リザーバ（１８）内に保持され、投薬機構により薬剤リザーバから排出されるように配置された薬剤（１６）をさらに含む、請求項１〜１２のいずれか１項に記載のデバイス。
【請求項１４】
注射デバイスを操作する方法であって：
受けた入力に応じてキャップ取り外し機構を起動する工程と；
入力を２回目に受けた場合に入力に応じて投薬機構を起動する工程とを含む前記方法。
【発明の詳細な説明】
【技術分野】
【０００１】
本発明は、注射デバイスに関する。
【背景技術】
【０００２】
患者の注射部位に薬剤を投薬するための自動注射器などの注射デバイスが、当技術分野で知られている。そのような注射デバイスは、通常、本体とキャップとを含む。ニードルシリンジが本体内に位置する。キャップは本体に着脱可能に取り付けられて、ニードルシリンジの針を覆う。薬剤を投薬するために、最初にキャップを本体から取り外して針を露出させる。その後、針を注射部位で患者の体内に挿入して薬剤を投薬する。
【０００３】
キャップを本体上に十分な力で保持して、注射デバイスの輸送および収納中にキャップが本体から誤って外れることが確実にないようにすることが重要となり得る。これによって、針を確実に滅菌状態に維持し、また鋭利な針により生じる損傷を防ぐ。しかしながら、キャップと本体とを共に保持するのに力が必要なため、特に患者が高齢または虚弱である場合には、患者が注射前にキャップを本体から意図的に取り外すことが困難になり得る。
【発明の概要】
【課題を解決するための手段】
【０００４】
実施形態によれば、自動注射デバイスであって、デバイスのハウジング内に摺動可能に取り付けられた引き込み可能部材、および引き込み可能部材をハウジングから押し出してキャップをデバイスから取り外すキャップ取り外しアクチュエータを含むキャップ取り外し機構と；薬剤をデバイスから排出するための駆動要素を含む投薬機構と；１回目に押したときにキャップ取り外し機構を起動し、放したときに投薬機構に係合し、２回目に押したときに投薬機構を起動するように構成された投薬ボタンとを含み；ここで、投薬機構は、投薬ボタンを１回目に押して放したときに投薬ボタンに係合するように構成された係合要素を含む自動注射デバイスが提供される。
【０００５】
キャップ取り外しアクチュエータは、キャップ取り外しばねを含むことができる。
【０００６】
投薬機構は、ロックされているときに投薬機構の起動を防ぐように構成されたロッキング手段を含むことができる。
【０００７】
引き込み可能部材は、引き込み可能部材がデバイスのハウジング内に押されたときにロッキング手段をロック解除することができる。
【０００８】
引き込み可能部材は引き込み可能スリーブの形である。
【０００９】
投薬ボタンは、第１の部材と第２の部材とを含むことができる。
【００１０】
第１の部材は、１回目に押したときに第２の部材に連結することができ、放したときに第２の部材と共に引き込むことができる。
【００１１】
投薬ボタンの第２の部材は、投薬ボタンの第１の部材とは異なる色であってよい。
【００１２】
投薬ボタンの第２の部材は、第１の部材により引き込まれたときに、投薬機構の係合要素に係合するように配置され、投薬ボタンを２回目に押したときに投薬機構を起動することができる。
【００１３】
係合要素は、投薬ボタンの第２の部材により係合解除位置に拘束され、投薬ボタンを放したときに係合位置に入ることができる。
【００１４】
係合要素を、係合位置で第２の部材に係合するように配置してもよい。
【００１５】
投薬ボタンは、キャップ取り外し機構により係合解除位置に保持され、キャップ取り外し機構が起動されると係合位置に入るばね要素を含むことができる。
【００１６】
ばね要素を、係合位置で投薬機構に係合するように配置してもよい。
【００１７】
デバイスは、投薬ボタンを１回目に押して放したときに露出されるアクティブ状態マーキングを含むことができる。
【００１８】
デバイスは、投薬ボタンを１回目に押して放したときにアクティブ状態マーキングと位置合わせされる観察窓を含むことができる。
【００１９】
デバイスは、初期状態マーキングと最終状態マーキングとを含むことができる。
【００２０】
投薬ボタンを押す前に観察窓を初期状態マーキングと位置合わせし、投薬ボタンを２回目に押したときに最終状態マーキングと位置合わせすることができる。
【００２１】
デバイスは、薬剤リザーバ内に保持され、投薬機構により薬剤リザーバから排出されるように配置された薬剤を含むことができる。
【００２２】
別の態様によれば、注射デバイスを操作する方法であって、受けた入力に応じてキャップ取り外し機構を起動する工程と；入力を２回目に受けた場合に入力に応じて投薬機構を起動する工程とを含む方法が提供される。
【００２３】
本明細書で区別せずに使用する用語「薬物」または「薬剤」は、少なくとも１つの薬学的に活性な化合物を含む医薬製剤を意味する。
【００２４】
用語「薬物送達デバイス」は、薬物をヒトまたは動物の身体（本開示により動物への適用が明らかに考えられる）に直接投薬するように設計されたあらゆるタイプのデバイス、システム、または装置を包含するものと理解されよう。「直接投薬する」とは、薬物送達デバイスからの薬物の排出とヒトまたは動物の身体への投与との間に、ユーザによる薬物の中間操作が必要ないことを意味する。薬物投薬デバイスの一般的な例が、注射デバイス、吸入器、および胃管栄養補給システムに見られるが、これらに限定されない。また、例示的な注射デバイスは、例えば、シリンジ、自動注射器、注射ペンデバイス、および脊髄注射システムを含み得るが、これらに限定されない。
【００２５】
本発明のこれらおよびその他の態様が、以下で説明する実施形態から明らかになり、これらの態様を実施形態に言及して明瞭にするであろう。
【００２６】
添付図面を参照しながら、例示的な実施形態について説明する。
【図面の簡単な説明】
【００２７】
【図１Ａ】キャップが注射デバイスの本体に取り付けられた、例示的な実施形態による注射デバイスの概略側面図である。
【図１Ｂ】キャップが本体から取り外された、図１Ａの注射デバイスの概略側面図である。
【図２】例示的な実施形態による、図１Ａおよび図１Ｂの注射デバイスの概略側断面図である。
【図３】図２の注射デバイスの概略側断面図である。
【図４】図２の注射デバイスの概略側断面図である。
【図５】図２の注射デバイスの概略側断面図である。
【図６】例示的な実施形態による、図１Ａおよび図１Ｂの注射デバイスの概略側断面図である。
【図７】図６の注射デバイスの概略側断面図である。
【図８】例示的な実施形態による、図１Ａおよび図１Ｂの注射デバイスの概略側断面図である。
【図９】図８の注射デバイスの概略側断面図である。
【図１０】図８の注射デバイスの概略側断面図である。
【図１１】図８の注射デバイスの概略側断面図である。
【図１２】図８の注射デバイスの概略側断面図である。
【図１３】図８の注射デバイスの概略外側面図である。
【図１４ａ】図８の注射デバイスの概略外側面図である。
【図１４ｂ】図８の注射デバイスの概略外側面図である。
【図１４ｃ】図８の注射デバイスの概略外側面図である。
【図１４ｄ】図８の注射デバイスの概略外側面図である。
【発明を実施するための形態】
【００２８】
１つまたはそれ以上の実施形態が、自動注射デバイス、およびキャップをデバイスから取り外すようにも構成された、自動注射デバイスを起動するための機構を提供する。
【００２９】
投薬ボタンがデバイスに設けられ、この投薬ボタンは、１回目に押したときにキャップ取り外し機構を起動し、２回目に押したときに投薬機構を起動するように構成される。これにより、ユーザによる力を用いることなく自動注射器のキャップが取り外されるため、このように提供される自動注射器を安全に使用でき、また単一のボタンを用いてデバイスを準備し起動することができるため、自動注射器を簡単に使用できる。他の態様はまた、デバイス状態の視覚標示を提供し、これにより有用性を向上させる。
【００３０】
本明細書に記載の薬物送達デバイスは、薬剤を患者に注射するように構成される。例えば、送達は、皮下、筋肉内、または静脈内であり得る。そのようなデバイスは、患者または看護師もしくは医師などの介護者が操作することができ、様々なタイプの安全シリンジ、ペン注射器、または自動注射器を含むことができる。デバイスは、封止されたアンプルを使用前に穿孔する必要のあるカートリッジベースのシステムを含んでもよい。これらの様々なデバイスにより送達される薬剤の量は、約０．５ｍｌ〜約２ｍｌであり得る。さらに別のデバイスは、患者の皮膚にある時間（例えば、約５分、１５分、３０分、６０分、または１２０分）付着して「大量の」薬剤（通常、約２ｍｌ〜約１０ｍｌ）を送達するように構成された大容量デバイス（「ＬＶＤ」）またはパッチポンプを含むことができる。
【００３１】
特定の薬剤と組み合わせて、本明細書に記載のデバイスを、必要な仕様の範囲内で動作するようにカスタマイズしてもよい。例えば、デバイスを、ある時間（例えば、自動注射器の場合に約３〜約２０秒、ＬＶＤの場合に約１０分〜約６０分）以内に薬剤を注射するようにカスタマイズしてもよい。他の仕様としては、低レベルまたは最低レベルの不快感、または人的要因、貯蔵寿命、有効期限、生体適合性、環境への配慮などに関連するある条件などが挙げられる。そのような変化は、例えば、薬物の粘性が約３ｃＰ〜約５０ｃＰであるなどの様々な要因によって生じ得る。したがって、薬物送達デバイスは、多くの場合、サイズが約２５〜約３１ゲージの中空針を含む。一般的なサイズは２７および２９ゲージである。
【００３２】
本明細書に記載の送達デバイスは、１つまたはそれ以上の自動化機能も含む。例えば、針の挿入、薬剤の注射、および針の引き込みのうちの１つまたはそれ以上を自動化することができる。１つまたはそれ以上の自動化工程のためのエネルギーを、１つまたはそれ以上のエネルギー源により提供することができる。エネルギー源としては、例えば、機械、空気圧、化学、または電気エネルギーが挙げられる。例えば、機械エネルギー源としては、エネルギーを蓄えるもしくは放出するばね、レバー、エラストマー、または他の機械的機構が挙げられる。１つまたはそれ以上のエネルギー源を単一のデバイスと組み合わせてもよい。デバイスは、エネルギーをデバイスの１つまたはそれ以上の部材の動きに変換する歯車、弁、または他の機構をさらに含んでもよい。
【００３３】
自動注射器の１つまたはそれ以上の自動化機能を各々、起動機構により起動することができる。そのような起動機構は、ボタン、レバー、ニードルスリーブ、または他の起動部材のうちの１つまたはそれ以上を含むことができる。自動化機能の起動は、一工程または多工程プロセスであってよい。すなわち、ユーザは、１つまたはそれ以上の起動部材を起動して自動化機能を生じさせる必要があり得る。例えば、一工程プロセスでは、ユーザはニードルスリーブを身体に当てて押し下げることにより、薬剤を注射することができる。他のデバイスは、自動化機能の多工程起動を必要とすることがある。例えば、ユーザは、ボタンを押し下げ、ニードルシールドを引き込んで、注射を行う必要があり得る。
【００３４】
加えて、１つの自動化機能の起動により、１つまたはそれ以上の次の自動化機能を起動して、起動シーケンスを形成することができる。例えば、第１の自動化機能の起動により、針の挿入、薬剤の注射、および針の引き込みのうちの少なくとも２つを起動することができる。また、一部のデバイスは、１つまたはそれ以上の自動化機能を生じさせる工程の特定のシーケンスを必要とすることがある。他のデバイスは、独立工程のシーケンスにより動作することがある。
【００３５】
一部の送達デバイスは、安全シリンジ、ペン注射器、または自動注射器のうちの１つまたはそれ以上の機能を含むことができる。例えば、送達デバイスは、薬剤を自動で注射するように構成された機械エネルギー源（通常、自動注射器で見られる）と、用量設定機構（通常、ペン注射器で見られる）とを含むことができる。
【００３６】
本開示の一部の実施形態によれば、例示的な薬物送達デバイス１０が図１Ａおよび図１Ｂに示される。前述したように、デバイス１０は、薬剤を患者の体内に注射するように構成される。デバイス１０はハウジング１１を含み、このハウジング１１は、通常、注射する薬剤を含むリザーバ（例えば、シリンジ）と、送達プロセスの１つまたはそれ以上の工程を容易にするために必要な部材とを含む。デバイス１０はまた、ハウジング１１に取り外し可能に取り付けられたキャップアセンブリ１２を含むことができる。通常、ユーザは、デバイス１０を操作する前にキャップ１２をハウジング１１から取り外さなければならない。
【００３７】
図示したように、ハウジング１１は略円筒形で、長手方向軸Ｘに沿って略一定の直径を有する。ハウジング１１は遠位領域２０と近位領域２１とを有する。用語「遠位」は注射部位に比較的近い位置を指し、用語「近位」は注射部位から比較的遠い位置を指す。
【００３８】
デバイス１０はまた、ハウジング１１に連結されたニードルスリーブ１３を含み、ハウジング１１に対するスリーブ１３の動きを可能にすることができる。例えば、スリーブ１３は、長手方向軸Ｘに平行な長手方向に動くことができる。詳細には、スリーブ１３の近位方向への動きにより、針１７がハウジング１１の遠位領域２０から延びることができる。
【００３９】
針１７の挿入はいくつかの機構によって行うことができる。例えば、針１７をハウジング１１に対して固定して位置させ、伸長したニードルスリーブ１３内に最初に位置させることができる。スリーブ１３の遠位端を患者の身体に当て、ハウジング１１を遠位方向に動かすことによるスリーブ１３の近位運動によって、針１７の遠位端が露出する。そのような相対運動により、針１７の遠位端が患者の体内へ延びることができる。そのような挿入は、患者がハウジング１１をスリーブ１３に対して手動で動かすことにより針１７が手動で挿入されるため、「手動」挿入と呼ばれる。
【００４０】
別の挿入形態は「自動化されたもの」であり、これにより、針１７がハウジング１１に対して動く。そのような挿入を、スリーブ１３の動きにより、または例えばボタン２２などの別の起動形態によりトリガすることができる。図１Ａおよび図１Ｂに示すように、ボタン２２はハウジング１１の近位端に位置する。しかしながら、他の実施形態では、ボタン２２がハウジング１１の側面に位置していてもよい。
【００４１】
他の手動または自動化機能としては、薬物の注射または針の引き込みまたはこれらの両方が挙げられる。注射は、栓またはピストン２３をシリンジ（図示せず）内の近位位置からシリンジ内のさらに遠位位置へ動かして、薬剤をシリンジから針１７に通すプロセスである。一部の実施形態において、駆動ばね（図示せず）は、デバイス１０の起動前は圧縮されている。駆動ばねの近位端をハウジング１１の近位領域２１内に固定することができ、駆動ばねの遠位端を、ピストン２３の近位面に圧縮力を加えるように構成することができる。起動後、駆動ばねに蓄えられたエネルギーの少なくとも一部をピストン２３の近位面に加えることができる。この圧縮力は、ピストン２３に作用してピストン２３を遠位方向に動かすことができる。そのような遠位運動は、シリンジ内の液体薬剤を圧縮して針１７から押し出すように作用する。
【００４２】
注射後、針１７をスリーブ１３またはハウジング１１内に引き込むことができる。ユーザがデバイス１０を患者の身体から取り外したときにスリーブ１３が遠位に動くと、引き込みが生じ得る。これは、針１７がハウジング１１に対して固定して位置したままであるために生じ得る。スリーブ１３の遠位端が針１７の遠位端を通り過ぎ、針１７が覆われると、スリーブ１３をロックすることができる。そのようなロッキングは、ハウジング１１に対するスリーブ１３の近位運動のロッキングを含み得る。
【００４３】
別の形態の針の引き込みは、針１７がハウジング１１に対して動く場合に生じ得る。そのような動きは、ハウジング１１内のシリンジがハウジング１１に対して近位方向に動く場合に生じ得る。この近位運動は、遠位領域２０に位置する引き込みばね（図示せず）を使用することによって達成される。圧縮された引き込みばねは、起動されると、十分な力をシリンジに供給してシリンジを近位方向に動かすことができる。十分な引き込み後、針１７とハウジング１１との相対運動を、ロッキング機構によりロックすることができる。加えて、ボタン２２またはデバイス１０の他の部材を必要に応じてロックすることができる。
【００４４】
図２を参照すると、第１の実施形態による注射デバイス１００が示される。注射デバイス１００は、ハウジング１１、液体薬剤１６を含むシリンジ１８、キャップ１２、キャップ取り外し機構１１０、投薬機構１２０、および投薬ボタン１４０を含む。
【００４５】
シリンジ１８は、薬剤リザーバを形成する開放近位端を有する管状容器である。ゴムストッパ１４をシリンジ１８の開放端内で受けて、容器を封止し、液体薬剤１６を内部に保持する。針１７は、シリンジ１８の遠位端からハウジング１１の遠位端の開口部を通って延びる。針１７は、ゴムから形成されたニードルシールド１９により覆われる。
【００４６】
投薬機構１２０は、シリンジ１８に機械的に連結され、液体薬剤１６をシリンジ１８から針１７を通して投薬するように構成される。コイル圧縮ばねである駆動要素１２１が、シリンジ１８の近位端に隣接して配置され、ゴムストッパ１４に機械的に連結される。投薬機構１２０が起動されると、コイル圧縮ばねは圧縮応力を受けて伸張し、薬剤リザーバを通してゴムストッパ１４を駆動する。投薬機構１２０は係合手段１２２をさらに含み、この係合手段１２２は投薬ボタン１４０に係合して、投薬ボタン１４０を押したときに投薬機構１２０を起動する。
【００４７】
キャップ１２は、ハウジング１１の遠位端を囲んで針１７を隠すように設けられる。キャップ１２は円筒壁と端壁とを含む。キャップ１２の内径は、ニードルシールド１９にぴったりと適合するように配置される。円筒壁の外面は段付き外形を有し、キャップ１２の近位端は遠位端よりも小さい直径を有する。キャップ１２が注射デバイス１００上にある状態で、円筒壁の外面はハウジング１１の遠位端で開口部内に適合し、開口部内の内面に当接して、キャップ１２がそこで保持されるようになっている。
【００４８】
液体薬剤１６を注射するためには、キャップ１２とニードルシールド１９とを注射デバイス１００から取り外して針１７を露出させなければならない。キャップ取り外し機構１１０は、引き込み可能スリーブ１１１と、引き込み可能スリーブ１１１を展開するためのスリーブばね１１２とを含む。引き込み可能スリーブ１１１は、ハウジング１１の遠位端で開口部内に配置され、ハウジング１１に摺動可能に連結されて、ハウジング１１の遠位端に対して出入りする。引き込み可能スリーブ１１１の近位端は、ハウジング１１の近位端側へ延びる。スリーブばね１１２は、引き込み可能スリーブ１１１内に取り付けられ、スリーブばね１１２の遠位端における引き込み可能スリーブ１１１の反応面とスリーブばね１１２の近位端におけるハウジング１１の反応面との間に連結される。スリーブばね１１２は、軸方向力を及ぼして引き込み可能スリーブ１１１をハウジング１１の遠位端から押し出すように配置される。
【００４９】
キャップ１２は、円筒壁の近位端が引き込み可能スリーブ１１１の内面に当接した状態で、引き込み可能スリーブ１１１内に緩く適合するように配置される。引き込み可能スリーブ１１１の遠位端は、キャップ１２の円筒壁の段付き外形に当接する。キャップ取り外し機構１１０が起動されると、引き込み可能スリーブ１１１はスリーブばね１１２により軸方向に遠位方向へ駆動され、軸方向力をキャップ１２に及ぼしてキャップ１２をハウジング１１から取り外す。ニードルシールド１９は、キャップ取り外し機構１１０によりキャップ１２と共に取り外される。
【００５０】
キャップ取り外し機構１１０の起動前、引き込み可能スリーブ１１１は後退位置にあり、ハウジング１１の遠位端で完全に開口部内に位置する。引き込み可能スリーブ１１１が初期後退位置にあるとき、スリーブばね１１２は完全に圧縮される。引き込み可能スリーブ１１１は、キャップ取り外し機構１１０の起動時に解放されるトリガ（図示せず）により後退位置に保持される。キャップ取り外し機構１１０が起動されると、スリーブばね１１２は引き込み可能スリーブ１１１を最終位置に駆動し、この最終位置では、引き込み可能スリーブ１１１の近位部分がハウジング１１内に保持され、引き込み可能スリーブ１１１の遠位部分がハウジング１１の遠位端から延びる。最終位置にある引き込み可能スリーブ１１１は針１７を越えて延び、この針１７を、キャップ１２およびニードルシールド１９を取り外すことにより露出させる。
【００５１】
投薬ボタン１４０は、キャップ取り外し機構１１０および投薬機構１２０を順次起動するように構成される。投薬ボタン１４０は、１回目に押したときにキャップ取り外し機構１１０を起動し、放したときに投薬機構１２０に係合して、投薬ボタン１４０を２回目に押したときに投薬機構１２０を起動するようになっている。
【００５２】
投薬ボタン１４０は、ハウジング１１の近位端で開口部内に配置され、第１の部材１４１、第２の部材１４２、および戻しばね１４３を含む。投薬ボタン１４０の第１の部材１４１は、内側部分と外側部分とを含み、これらは共に固定され、ハウジング１１に対して長手方向軸に沿って摺動可能に可動である。外側部分はハウジング１１の近位端に隣接して配置され、戻しばね１４３は、戻しばね１４３の遠位端にあるハウジング１１の近位端と戻しばね１４３の近位端にある第１の部材１４１の外側部分との間に配置される。戻しばね１４３は、軸方向力を第１の部材１４１に近位方向に及ぼして、第１の部材１４１を初期位置に付勢する。
【００５３】
第１の部材１４１の外側部分は、２つの同心円筒壁から形成され、一方の壁がハウジング１１の近位端で開口部内に配置され、別の壁がハウジング１１の近位端の外側周囲に位置する。２つの同心円筒の近位端は環状端部により接合されて、内部空間が円筒壁、端部、およびハウジング１１の近位端により囲まれる。戻しばね１４３は、外側部分の内部空間内に配置され、軸方向力を環状端部に及ぼして、投薬ボタン１４０の第１の部材１４１をハウジング１１から押し離す。
【００５４】
第１の部材１４１の内側部分は、ハウジングの近位端で開口部に対して中心に配置され、第１の部材１４１の外側部分を越えて近位に延びる。内側部分の遠位端は、投薬ボタン１４０の第２の部材１４２に連結するための連結要素１４４ａを含む。
【００５５】
投薬ボタン１４０の第２の部材１４２は、第１の部材１４１の内側部分と外側部分との間に配置された円筒形チューブとして形成される。第２の部材１４２の内面に配置された連結要素１４４ｂは、第１の部材１４１に連結するように構成され、第２の部材１４２の遠位端は、投薬機構１２０の係合手段１２２に係合するように配置される。図２に示すように、投薬ボタン１４０の第２の部材１４２は、初期状態で、第１の部材１４１より前方に位置しているため、注射デバイス１００の近位端から突出していない。係合手段１２２は、最初は投薬機構１２０に係合せず、第１の部材１４１の連結要素１４４ａは、初期状態で、第２の部材１４２の連結要素１４４ｂから離間している。
【００５６】
投薬ボタン１４０を１回目に押したときに、投薬ボタン１４０の第１の部材１４１はハウジング１１側へ軸方向に動き、第２の部材１４２はハウジング１１に対して静止したままとなる。
【００５７】
図３は、投薬ボタン１４０が１回目に押したときの第２の位置にある、第１の実施形態による注射デバイス１００を示す。第２の位置で、第１の部材１４１はハウジング１１の近位端に押し込まれ、戻しばね１４３は圧縮される。第１の部材１４１の連結要素１４４ａと第２の部材１４２の連結要素１４４ｂとが接触して共に連結され、投薬ボタン１４０の第２の部材１４２が第１の部材１４１に固定されるようになっている。第１の部材１４１および第２の部材１４２の連結要素１４４ａ、１４４ｂは、連動するリテーナクリップにより形成される。
【００５８】
第２の位置で、ハウジング１１内にある第１の部材１４１の外側部分の遠位端が、引き込み可能スリーブ１１１の近位端に押し付けられる。引き込み可能スリーブ１１１に加わる軸方向力により、キャップ取り外し機構１１０のトリガを解放し、これにより、スリーブばね１１２を解放して伸張させ、引き込み可能スリーブ１１１およびキャップ１２を遠位方向に押す。キャップ取り外し機構１１０は、１回目に押したときの投薬ボタン１４０により起動される。
【００５９】
図４は、引き込み可能スリーブ１１１が最終位置にある第１の実施形態を示す。スリーブばね１１２は伸張し、引き込み可能スリーブ１１１はハウジング１１の遠位端で開口部から出て遠位に延びる。引き込み可能スリーブ１１１の軸方向運動により、キャップ１２およびニードルシールド１９を注射デバイス１００から取り外す。引き込み可能スリーブ１１１は針１７を越えて延び、この針１７はキャップ１２を取り外すことにより露出される。
【００６０】
投薬ボタン１４０は、１回目に押した後に放したときの第３の位置で示される。共に連結された投薬ボタン１４０の第１の部材１４１および第２の部材１４２は、戻しばね１４３によりハウジング１１から軸方向に押し離される。第１の部材１４１は初期位置に戻り、第２の部材１４２も連結要素１４４ａ、１４４ｂにより軸方向に近位方向へ引かれる。第２の部材１４２は、投薬ボタン１４０が第３の位置にあるときに第１の部材１４１の外側部分を越えて突出するため、ユーザに見えるようになる。一部の実施形態において、第２の部材１４２を第１の部材１４１とは異なる色にして、注射デバイス１００が注射の準備ができていることを示してもよい。
【００６１】
投薬ボタン１４０は、１回目に押した後に放すと投薬機構１２０に係合する。投薬ボタン１４０が第３の位置にあるときに、ボタンの第２の部材１４２の遠位端は、投薬機構１２０の係合手段１２２に押し付けられるように配置される。係合手段１２２は、投薬機構１２０の外面上のばね入り要素により形成され、このばね入り要素は、最初に第２のボタンにより拘束され、投薬ボタン１４０の第２の部材１４２が第３の位置へ動くときに解放される。ばね入り要素は、解放されると投薬機構１２０の外面から突出し、第２の部材１４２の遠位端に係合する。
【００６２】
図５は、２回目に押したときの、最終状態にある第１の実施形態の投薬機構１２０を示す。投薬ボタン１４０をハウジング１１側へ軸方向に押して、投薬機構１２０の係合手段１２２に軸方向力を及ぼすようになっている。投薬機構１２０は、投薬ボタン１４０を２回目に押すことにより起動される。駆動要素１２１は解放され、伸張して、薬剤リザーバを通してゴムストッパ１４を駆動する。ゴムストッパ１４は、薬剤リザーバの遠位端側へ動いて、液体薬剤１６が薬剤リザーバから針１７を通して噴出または排出されるようになっている。
【００６３】
注射デバイス１００は、投薬ボタン１４０が２回目に押される前にユーザの注射部位に当てられる。引き込み可能スリーブ１１１は、注射部位に接触したときにハウジング１１に軸方向に押し込まれて、針１７を注射部位に挿入できるようになる。針１７が挿入されると、投薬ボタン１４０を２回目に押して投薬機構１２０を起動し、針１７を通して液体薬剤１６を送達する。一部の実施形態において、引き込み可能スリーブ１１１はロッキング機構に連結され、このロッキング機構は、注射デバイス１００が注射部位に当てられていない場合に投薬機構１２０をロックするように構成される。引き込み可能スリーブ１１１がハウジング１１に押し込まれると、投薬機構１２０がロック解除され、投薬ボタン１４０を２回目に押すことにより投薬機構１２０を起動することができる。
【００６４】
第１の実施形態は、簡単かつ安全に使用できる改良された注射デバイス１００を提供する。キャップ取り外し機構１１０により、大きい力を用いる必要なくキャップ１２を容易に取り外すことができるため、注射デバイス１００の使いやすさおよび安全性が向上する。さらに、キャップ取り外し機構１１０および投薬機構１２０の両方を起動するのに単一の投薬ボタン１４０を使用するため、デバイスの有用性が向上する。投薬ボタン１４０の第１の部材１４１と対比するために色付け可能な投薬ボタン１４０の第２の部材１４２は、第３の位置で見えるようになり、ユーザに準備ができたことを示し、使いやすさをさらに向上させる。
【００６５】
代替実施形態において、第２の部材１４２が軸方向に動いたときに投薬ボタン１４０の第２の部材１４２を回転させるように構成されたスロット付きリンク機構を使用して、投薬ボタン１４０を係合手段１２２に係合させることができる。スロット付きリンク機構は、投薬機構１２０の外面の傾斜スロットを通って動くように配置された、投薬ボタン１４０の第２の部材１４２の内側突起から形成されて、第２の部材１４２が投薬機構１２０に対して軸方向に動くときに第２の部材１４２の回転を作動させる。あるいは、投薬機構１２０上の突起が、投薬ボタン１４０の第２の部材１４２の傾斜スロットと、同様の方法で相互作用することができる。
【００６６】
スロット付きリンク機構は、第２の部材１４２の軸方向運動を回転運動に変える。係合手段１２２は、第２の部材１４２が係合手段１２２と位置合わせされる位置へ回転したときに、第２の部材１４２の遠位端に当接するように配置される。
【００６７】
図６および図７に関し、第２の実施形態による注射デバイス２００について説明する。説明しない要素は、第１の実施形態について説明したものと略同じである。
【００６８】
第２の実施形態の投薬ボタン２４０は、ハウジング１１の近位端で開口部内に受けられるキャップとして形成される。投薬ボタン２４０は戻しばね２４３を含む。戻しばね２４３は、軸方向力を投薬ボタン２４０に近位方向へ及ぼして、投薬ボタン２４０を初期位置に付勢する。投薬ボタン２４０は、連結要素２４４をさらに含む。連結要素２４４は、ハウジング１１に形成された係合溝２２２に連結される。
【００６９】
係合溝２２２はＺ字形に形成される。係合溝２２２は、ハウジング１１の長さの一部にわたって長手方向に、かつハウジング１１の周囲の一部にわたって横方向に延びる。係合溝２２２は、第１の部分、第２の部分、および第３の部分を含む。
【００７０】
係合溝２２２の第１の部分は、ハウジング１１の長手方向軸に対してある角度で、ハウジング１１の長さの一部に沿って遠位方向に延びる。係合溝２２２の第２の部分は、ハウジング１１の長手方向軸に対してある角度で、ハウジング１１の長さの一部に沿って近位方向に延びる。第２の部分は第１の部分よりも短く、第２の部分の近位端は第１の部分の近位端よりもハウジング１１の近位端から遠くなっている。係合溝２２２の第３の部分は、ハウジング１１の長手方向軸に対してある角度で、ハウジング１１の長さの一部に沿って遠位方向に延びる。第３の部分は第２の部分よりも長く、第３の部分の遠位端は第２の部分の遠位端よりもハウジング１１の近位端から遠くなっている。
【００７１】
投薬ボタン２４０は、キャップ取り外し機構１１０と投薬機構１２０とを順次起動するように構成される。投薬ボタン２４０は、１回目に押したときにキャップ取り外し機構１１０を起動し、放したときに投薬機構１２０に係合して、投薬ボタン１４０を２回目に押したときに投薬機構１２０を起動するようになっている。
【００７２】
図６に示す初期状態で、投薬ボタン２４０は初期位置にある。連結要素２４４は、係合溝２２２の第１の部分の近位端で初期位置にある。
【００７３】
投薬ボタン２４０が１回目に押されると、投薬ボタン２４０は、ハウジング１１の近位端で開口部内に軸方向に入る。投薬ボタン２４０の遠位端は、キャップ取り外し機構１１０の引き込み可能スリーブ１１１に押し付けられる。前述したように、キャップ取り外し機構１１０のトリガは解放される。キャップ取り外し機構１１０は、１回目に押したときの投薬ボタン２４０により起動される。
【００７４】
連結要素２４４は、係合溝２２２の第１の部分に沿って遠位方向に動く。連結要素２４４は、係合溝２２２の角度だけ周方向に変位して、投薬ボタン２４０を回転させる。連結要素２４４の軸方向運動は、係合溝２２２の第１の部分の遠位端に接触することにより停止する。投薬ボタン２４０の軸方向運動は、連結要素２４４により停止する。
【００７５】
投薬ボタン２４０が解放されると、戻しばね２４３は投薬ボタン２４０を近位方向に付勢する。連結要素２４４は、係合溝２２２の第２の部分に沿って近位方向に動く。連結要素２４４は、係合溝２２２の角度だけ周方向にさらに変位して、投薬ボタン２４０をさらに回転させる。連結要素２４４の軸方向運動は、係合溝２２２の第２の部分の近位端に接触することにより停止する。投薬ボタン２４０の軸方向運動は、連結要素２４４により停止する。
【００７６】
図７は、投薬ボタン２４０を１回目に押して放したときの、第２の状態にある投薬ボタン２４０を示す。連結要素２４４は、係合溝２２２の第２の部分の近位端で第２の位置にある。連結要素２４４は、第２の位置で投薬機構１２０に係合するように配置される。
【００７７】
投薬ボタン２４０を２回目に押すと、投薬ボタン２４０はハウジング１１の近位端に軸方向に入る。連結要素２４４は、係合溝２２２の第３の部分に沿って遠位方向に動く。連結要素２４４は、係合溝２２２の角度だけ周方向にさらに変位して、投薬ボタン２４０をさらに回転させる。
【００７８】
連結要素２４４は、係合溝２２２の第３の部分に沿って動くときに、投薬機構１２０の係合手段１２２に軸方向力を及ぼすように配置される。前述したように、駆動要素１２１は解放される。投薬機構１２０は、投薬ボタン２４０を２回目に押すことにより起動される。
【００７９】
第２の実施形態は、簡単かつ安全に使用できる改良された注射デバイス２００を提供する。キャップ取り外し機構１１０により、大きい力を用いる必要なくキャップ１２を容易に取り外すことができるため、注射デバイス２００の使いやすさおよび安全性が向上する。さらに、キャップ取り外し機構１１０および投薬機構１２０の両方を起動するのに単一の投薬ボタン２４０を使用するため、デバイスの有用性が向上する。
【００８０】
図８に関し、第３の実施形態による注射デバイス３００について説明する。説明しない要素は、第１の実施形態について説明したものと略同じである。第３の実施形態のキャップ取り外し機構３１０は、引き込み可能スリーブ３１１とスリーブばね３１２とを含む。
【００８１】
第３の実施形態の投薬ボタン３４０は、ハウジング１１の近位端上に配置されたキャップとして形成され、戻しばね３４３と１つまたはそれ以上の係合クリップ３４４とをさらに含む。投薬ボタン３４０は外側円筒壁と端壁とを有し、外側円筒壁は、ハウジング１１の近位端上を摺動可能に動くように配置される。戻しばね３４３は、ハウジング１１の近位端と端壁の内面との間に配置され、戻しばね３４３により投薬ボタン３４０がハウジング１１から軸方向に押し離されるようになっている。内側円筒壁は、端壁の内面から延び、ハウジング１１の近位端内に受けられる。
【００８２】
係合クリップ３４４は、投薬ボタン３４０の遠位側からハウジング１１の内部へ延びる。係合クリップ３４４は、ハウジング１１の中心長手方向軸に向かって内方に圧縮応力を受ける。しかしながら、図６に示す初期位置では、係合クリップ３４４は、ハウジング１１の内面に向かって外方に湾曲する。係合クリップ３４４の遠位端は、引き込み可能スリーブ３１１の近位端に当接し、引き込み可能スリーブ３１１の係合溝３１４により初期位置に保持される。
【００８３】
第３の実施形態のハウジング１１は、注射デバイス３００の状態を示すように構成された観察窓３５０をさらに含む。観察窓３５０の動作について以下でより詳細に説明する。
【００８４】
図９は、１回目に押したときの、第２の位置にある第３の実施形態の投薬ボタン３４０を示す。投薬ボタン３４０は、ハウジング１１に向かって軸方向に遠位方向へ押されて、戻しばね３４３を圧縮する。係合クリップ３４４は、軸方向力を引き込み可能スリーブ３１１に及ぼすことにより、引き込み可能スリーブ３１１をハウジング１１の遠位端側へ動かし、キャップ取り外し機構３１０のトリガを解放する。スリーブばね１１２は、トリガにより解放され、伸張して、引き込み可能スリーブ３１１およびニードルシールド１９を有するキャップ１２を遠位方向に押す。キャップ取り外し機構３１０は、１回目に押したときに投薬ボタン３４０により起動される。
【００８５】
図１０は、引き込み可能スリーブ３１１が最終位置にある第３の実施形態を示す。スリーブばね１１２は伸張し、引き込み可能スリーブ３１１は、ハウジング１１の遠位端で開口部から出て遠位に延びる。引き込み可能スリーブ３１１の軸方向運動により、キャップ１２を注射デバイス３００から取り外す。引き込み可能スリーブ３１１は、針１７を越えて延び、針１７はキャップ１２およびニードルシールド１９を取り外すことにより露出される。
【００８６】
投薬ボタン３４０は、１回目に押した後に放したときの第３の位置に示される。スリーブばね１１２による引き込み可能スリーブ３１１の遠位方向への動きと、戻しばね３４３による投薬ボタン３４０の近位方向への動きとにより、係合クリップ３４４が引き込み可能スリーブ３１１の係合溝３１４から係合解除される。内方に圧縮応力を受けた係合クリップ３４４は、解放されるとハウジング１１の中心長手方向軸に向かって屈曲する。第３の位置における係合クリップ３４４の遠位端は、投薬機構１２０の係合要素１２２に当接する。係合要素１２２は投薬機構１２０の外面から突出し、係合要素１２２の近位面は投薬ボタン３４０の係合クリップ３４４の遠位端に当接する。
【００８７】
図１１に示すように、注射デバイス３００は、投薬ボタン３４０を２回目に押す前に、ユーザの注射部位に当てられる。引き込み可能スリーブ３１１は、注射部位に接触したときにハウジング１１に軸方向に押し込まれて、針１７を注射部位に挿入できるようになる。針１７が挿入されると、投薬ボタン３４０を２回目に押して投薬機構１２０を起動し、針１７を通して液体薬剤１６を送達する。一部の実施形態において、引き込み可能スリーブ３１１はロッキング機構に連結され、このロッキング機構は、注射デバイス３００が注射部位に当てられていない場合に投薬機構１２０をロックするように構成される。引き込み可能スリーブ３１１がハウジング１１に押し込まれると、投薬機構１２０がロック解除され、投薬ボタン３４０を２回目に押すことにより投薬機構１２０を起動することができる。
【００８８】
図１２は、投薬ボタン３４０を２回目に押して放した後の、最終状態にある第３の実施形態を示す。投薬ボタン３４０を２回目にハウジング１１側へ軸方向に押すと、係合クリップ３４４により投薬機構１２０の係合手段１２２に軸方向力を及ぼす。投薬機構１２０は、投薬ボタン３４０を２回目に押すことにより起動される。駆動要素１２１は解放され、伸張して、薬剤リザーバを通してゴムストッパ１４を駆動する。ゴムストッパ１４は、薬剤リザーバの遠位端側へ動いて、液体薬剤１６が薬剤リザーバから針１７を通して噴出または排出されるようになっている。
【００８９】
図１２に示す最終状態で、投薬ボタン３４０を放し、針１７が注射部位から取り外されている。投薬ボタン３４０は、戻しばね３４３によりハウジング１１から押し離され、引き込み可能スリーブ３１１は、スリーブばね１１２によりハウジング１１の遠位端から押し出される。引き込み可能スリーブ３１１は、注射完了後の最終状態で針１７を覆う。引き込み可能スリーブ３１１は、注射完了後、伸長位置にロックされて、針による損傷を防ぐ。
【００９０】
第３の実施形態は、単純で安全に使用できる改良された注射デバイス３００を提供する。キャップ取り外し機構３１０により、大きい力を用いる必要なくキャップ１２を容易に取り外すことができるため、デバイスの使いやすさおよび安全性が向上する。さらに、キャップ取り外し機構３１０および投薬機構１２０の両方を起動するのに単一の投薬ボタン３４０を使用するため、デバイスの有用性が向上する。観察窓３５０は、注射プロセスの各段階における注射デバイス３００の状態を示すため、デバイスの有用性がさらに向上する。
【００９１】
図１３および図１４ａ〜図１４ｄは、第３の実施形態による注射デバイス３００の観察窓３５０に関する。図１３は、ハウジング１１の外面における観察窓３５０の位置を示す。観察窓３５０はハウジング１１を通る開口部であり、外面上で長手方向および周方向に対して斜めに延びる。観察窓３５０は、ハウジング１１上のある位置に配置されて、引き込み可能スリーブ３１１が観察窓３５０を通して見えるようになっている。
【００９２】
図１４ａは、初期状態にある第３の実施形態の観察窓３５０を示す。複数の状態マーキング３５１が引き込み可能スリーブ３１１の外面上に作られ、注射プロセスの各段階で観察窓３５０と引き込み可能スリーブ３１１とを位置合わせすることにより、対応する状態マーキング３５１が観察窓３５０を通して見えるようになる。状態マーキング３５１は、観察窓３５０内における状態インジケータの位置により、注射デバイス３００の現在の状態を示す。一部の実施形態において、各状態インジケータはまた、異なる色もしくは形状、または異なる単語ラベルを有してもよい。初期状態で、初期状態に対応する第１の状態マーキング３５１が観察窓３５０と位置合わせされ、ユーザに見えるようになっている。
【００９３】
図１４ｂは、アクティブ状態にある第３の実施形態の観察窓３５０を示す。アクティブ状態は、１回目に押して放した後の、投薬ボタン３４０の第３の位置に対応する。引き込み可能スリーブ３１１は、スリーブばね１１２により軸方向に遠位方向へ押されて、キャップ１２を注射デバイス３００から取り外す。
【００９４】
引き込み可能スリーブ３１１は、さらにスロット付きリンク機構によりハウジング１１に連結され、このスロット付きリンク機構は、引き込み可能スリーブ３１１の遠位方向への軸方向運動を長手方向軸周りの回転に変えるように構成される。ハウジング１１の内面上の突起が引き込み可能スリーブ３１１の傾斜スロットに係合して、引き込み可能スリーブ３１１に回転力を及ぼす。
【００９５】
したがって、引き込み可能スリーブ３１１は、軸方向に動き、ハウジング１１に対して回転して、第１の状態マーキング３５１が観察窓３５０と位置合わせされなくなる。アクティブ状態に対応する第２の状態マーキング３５１が観察窓３５０と位置合わせされて、ユーザに見えるようになる。
【００９６】
図１４ｃは、アクティブ状態の注射デバイス３００が注射部位に当てられた、準備完了状態における第３の実施形態の観察窓３５０を示す。引き込み可能スリーブ３１１は、注射部位に接触したときにハウジング１１に軸方向に押し込まれて、針１７を注射部位に挿入できるようになる。スロット付きリンク機構は、引き込み可能スリーブ３１１を回転せずにハウジング１１内へ軸方向に引き込むことができるように構成される。したがって、引き込み可能スリーブ３１１はハウジング１１に対して軸方向に動いて、第２の状態マーキング３５１が観察窓３５０と位置合わせされなくなる。準備完了状態における引き込み可能スリーブ３１１の位置を、初期状態における位置に対して回転させ、準備完了状態に対応する第３の状態マーキング３５１を観察窓３５０と位置合わせする。
【００９７】
図１４ｄは、投薬ボタン３４０を２回目に押して放し、注射デバイス３００が注射部位から取り外されたときの、最終状態にある第３の実施形態の観察窓３５０を示す。引き込み可能スリーブ３１１は、スリーブばね１１２によりハウジング１１の遠位端から押し出され、スロット付きリンク機構により、対応する回転を引き込み可能スリーブ３１１に加える。したがって、引き込み可能スリーブ３１１は軸方向に動き、ハウジング１１に対して回転して、第３の状態マーキング３５１が観察窓３５０と位置合わせされなくなる。
【００９８】
最終状態における引き込み可能スリーブ３１１の位置を、アクティブ状態における位置に対して回転させ、最終状態に対応する第４の状態マーキング３５１が観察窓３５０と位置合わせされる。あるいは、注射完了後に引き込み可能スリーブ３１１を異なる軸方向位置に戻してもよく、第４の状態マーキング３５１を第３の状態マーキング３５１から軸方向に離してもよい。引き込み可能スリーブは、注射完了後に定位置にロックされる。
【００９９】
第３の実施形態は、注射プロセスの各段階で注射デバイス３００の状態を示すように構成された観察窓３５０を設けるため、デバイスの有用性がさらに向上する。代替実施形態において、スロット付きリンク機構の配置を逆にして、引き込み可能スリーブ３１１が軸方向に近位方向へ動くときに回転するようにしてもよい。
【０１００】
いくつかの実施形態について図示し説明したが、添付の特許請求の範囲においてその範囲を定義する本発明から逸脱することなく、これらの実施形態に変更を行ってもよいことを当業者は理解するであろう。実施形態の基礎となる原理が両立する場合に、異なる実施形態の様々な構成要素を組み合わせてもよい。例えば、第３の実施形態に関して説明した観察窓を、第１の実施形態による注射デバイスの一部として実施してもよい。
【０１０１】
代替実施形態において、観察窓を、ハウジングの近位端上に適合する、投薬ボタンの外側円筒壁のアパーチャとして形成してもよい。複数の状態マーキングがハウジングの外面に作られ、観察窓とハウジングとの位置合わせによって、どの状態マーキングが観察窓を通して見えるようになるかが決まる。観察窓とハウジングとの位置合わせは、投薬ボタンとハウジングとの相対位置によって決まる。投薬ボタンの軸方向位置は、ボタンが１回目および２回目に押されるにつれて変化することができ、前述したように、スロット付きリンク機構により投薬ボタンをハウジングに対してさらに回転させることができる。
【０１０２】
どの実施形態のハウジング、キャップ、および投薬ボタンも、方形、円形、または三角形断面またはその他の適切な形状を有することができる。キャップを、キャップの内部でハウジングの遠位端を受けるように形成して、キャップの内面がハウジングの外面に当接してキャップを外面上に保持するようにしてもよい。あるいは、キャップは、ハウジング内に適合するが、引き込み可能スリーブの外側の周囲に適合してもよい。ニードルシールドは、ゴム、または人工ゴム状材料から形成された可撓性シールドであってよく、または、例えば、剛性プラスチック材料から形成された剛性ニードルシールドであってよい。
【０１０３】
キャップ取り外し機構は、ボタンを押すことによりトリガ可能な他のそのような機構であってもよく、例えば、投薬ボタンを１回目に押すことにより、圧縮ガスの放出をトリガし、または電動機を起動してキャップを取り外すことができる。キャップ取り外し機構は、１つまたはそれ以上の引き込み可能アームなどの引き込み可能部材を含むことができ、この引き込み可能部材を軸方向に遠位方向へ駆動してキャップを取り外すことができる。
【０１０４】
また、投薬機構は適切な投薬機構であってよい。例えば、投薬ボタンを２回目に押すことにより、圧縮ガスの放出をトリガし、または電動機を起動して、薬剤リザーバを通してゴムストッパを駆動することができる。シリンジおよび投薬機構は無針配置であってもよく、無針配置は、液体薬剤の細かい噴流を十分な圧力で噴出させて、注射部位で皮膚に貫入するように構成される。投薬機構は、液体薬剤を高圧で排出する圧縮ガス源を含んでもよい。注射デバイスがアクティブ状態にある場合に引き込み可能スリーブをハウジング内に完全に押したとき、すなわち、デバイスを注射部位に押し付けることにより、投薬機構を自動で起動してもよい。
【０１０５】
用語「薬物」または「薬剤」は、本明細書において同意語として使用され、１つまたはそれ以上の医薬品有効成分または薬学的に許容されるその塩もしくは溶媒和物と、場合により、薬学的に許容される担体とを含む医薬製剤を示す。医薬品有効成分（「ＡＰＩ」）とは、最も広範な言い方で、ヒトまたは動物に生物学的影響を及ぼす化学構造のことである。薬理学では、薬物または薬剤が、疾患の処置、治療、予防、または診断に使用され、またはそれとは別に、身体的または精神的健康を向上させるために使用される。薬物または薬剤は、限られた継続期間、または慢性疾患では定期的に、使用される。
【０１０６】
以下に説明されるように、薬物または薬剤は、１つまたはそれ以上の疾患を処置するための、様々なタイプの製剤の少なくとも１つのＡＰＩ、またはその組み合わせを含むことができる。ＡＰＩの例としては、分子量が５００Ｄａ以下である低分子；ポリペプチド、ペプチド、およびタンパク質（例えばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドが含まれ得る。核酸は、ベクター、プラスミド、またはリポソームなどの分子送達システムに組み込まれる。１つまたはそれ以上の薬物の混合物もまた企図される。
【０１０７】
用語「薬物送達デバイス」は、薬物または薬剤をヒトまたは動物の体内に投薬するように構成されたあらゆるタイプのデバイスまたはシステムを包含するものである。それだけには限らないが、薬物送達デバイスは、注射デバイス（例えばシリンジ、ペン型注射器、自動注射器、大容量デバイス、ポンプ、潅流システム、または眼内、皮下、筋肉内、もしくは血管内送達にあわせて構成された他のデバイス）、皮膚パッチ（例えば、浸透圧性、化学的、マイクロニードル）、吸入器（例えば鼻用または肺用）、埋め込み型デバイス（例えば、薬物またはＡＰＩコーティングされたステント、カプセル）、または胃腸管用の供給システムとすることができる。ここで説明される薬物は、例えば２４以上のゲージ数を有する、例えば皮下針である針を含む注射デバイスでは特に有用であり得る。
【０１０８】
薬物または薬剤は、薬物送達デバイスで使用するように適用された主要パッケージまたは「薬物容器」内に含まれる。薬物容器は、例えば、カートリッジ、シリンジ、リザーバ、または１つもしくはそれ以上の薬物の保存（例えば短期または長期保存）に適したチャンバを提供するように構成された他の固体もしくは可撓性の容器とすることができる。例えば、場合によって、チャンバは、少なくとも１日（例えば１日から少なくとも３０日まで）の間薬物を収納するように設計される。場合によって、チャンバは、約１カ月から約２年の間薬物を保存するように設計される。保存は、室温（例えば約２０℃）または冷蔵温度（例えば約−４℃から約４℃まで）で行うことができる。場合によって、薬物容器は、投与予定の医薬製剤の２つまたはそれ以上の成分（例えばＡＰＩおよび希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に２つまたはそれ以上の成分間で混合することを可能にするように構成される。例えば、２つのチャンバは、これらが（例えば２つのチャンバ間の導管によって）互いに流体連通し、所望の場合、投薬の前にユーザによって２つの成分を混合することを可能にするように構成される。代替的に、またはこれに加えて、２つのチャンバは、成分がヒトまたは動物の体内に投薬されているときに混合することを可能にするように構成される。
【０１０９】
本明細書において説明される薬物送達デバイス内に含まれる薬物または薬剤は、数多くの異なるタイプの医学的障害の処置および／または予防に使用される。障害の例としては、例えば、糖尿病、または糖尿病性網膜症などの糖尿病に伴う合併症、深部静脈血栓塞栓症または肺血栓塞栓症などの血栓塞栓症が含まれる。障害の別の例としては、急性冠症候群（ＡＣＳ）、狭心症、心筋梗塞、がん、黄斑変性症、炎症、枯草熱、アテローム性動脈硬化症および／または関節リウマチがある。ＡＰＩおよび薬物の例としては、例えば、それだけには限らないが、ハンドブックのＲｏｔｅ  Ｌｉｓｔｅ  ２０１４、主グループ１２（抗糖尿病薬物）または主グループ８６（腫瘍薬物）、およびＭｅｒｃｋ  Ｉｎｄｅｘ、第１５版などに記載されているものがある。
【０１１０】
１型もしくは２型の糖尿病、または１型もしくは２型の糖尿病に伴う合併症の処置および／または予防のためのＡＰＩの例としては、インスリン、例えばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容されるその塩もしくは溶媒和物、またはそれらの任意の混合物が含まれる。本明細書において使用される用語「類似体」および「誘導体」は、元の物質と構造的に十分に類似しており、それによって同様の機能または活性（例えば治療効果性）を有することができる任意の物質を指す。特に、用語「類似体」は、天然のペプチドの構造、例えばヒトのインスリンの構造から、天然のペプチド中に見出される少なくとも１つのアミノ酸残基を欠失させるおよび／もしくは交換することによって、ならびに／または少なくとも１つのアミノ酸残基を付加することによって式上で得られる分子構造を有するポリペプチドを指す。付加および／または交換されるアミノ酸残基は、コード可能なアミノ酸残基、または他の天然の残基もしくは完全に合成によるアミノ酸残基とすることができる。インスリン類似体は「インスリン受容体リガンド」とも呼ばれる。特に、用語「誘導体」は、１つまたはそれ以上の有機置換基（例えば、脂肪酸）が１つまたはそれ以上のアミノ酸に結合している、天然のペプチドの構造、例えばヒトのインスリンの構造から式上で得られる分子構造を有するポリペプチドを指す。場合により、天然のペプチド中に見出される１つまたはそれ以上のアミノ酸が、欠失され、かつ／もしくはコード不可能なアミノ酸を含む他のアミノ酸によって置換されていてもよく、または、コード不可能なアミノ酸を含むアミノ酸が、天然のペプチドに付加されていてもよい。
【０１１１】
インスリン類似体の例としては、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン（インスリングルリジン）；Ｌｙｓ（Ｂ２８），Ｐｒｏ（Ｂ２９）ヒトインスリン（インスリンリスプロ）；Ａｓｐ（Ｂ２８）ヒトインスリン（インスリンアスパルト）；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置換されているヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンがある。
【０１１２】
インスリン誘導体の例としては、例えば、Ｂ２９−Ｎ−ミリストイル−ｄｅｓ（Ｂ３０）ヒトインスリン；Ｌｙｓ（Ｂ２９）（Ｎ−テトラデカノイル）−ｄｅｓ（Ｂ３０）ヒトインスリン（インスリンデテミル、Ｌｅｖｅｍｉｒ（登録商標））、Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−ω−カルボキシヘプタデカノイル−γ−Ｌ−グルタミル−ｄｅｓ（Ｂ３０）ヒトインスリン（インスリンデグルデク、Ｔｒｅｓｉｂａ（登録商標））、Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンがある。
【０１１３】
ＧＬＰ−１、ＧＬＰ−１類似体およびＧＬＰ−１受容体アゴニストの例としては、例えば、リキシセナチド（Ｌｙｘｕｍｉａ（登録商標）、エキセナチド（エキセンディン−４、Ｄｙｅｔｔａ（登録商標）、Ｂｙｄｕｒｅｏｎ（登録商標）、アメリカドクトカゲの唾液腺によって産生される３９アミノ酸ペプチド）、リラグルチド（Ｖｉｃｔｏｚａ（登録商標））、セマグルチド、タスポグルチド、アルビグルチド（Ｓｙｎｃｒｉａ（登録商標））、デュラグルチド（Ｔｒｕｌｉｃｉｔｙ（登録商標））、ｒエキセンディン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン（Ｅｌｉｇｅｎ）、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎがある。
【０１１４】
オリゴヌクレオチドの例としては、例えば：家族性高コレステロール血症の処置のためのコレステロール低下アンチセンス治療薬である、ミポメルセンナトリウム（Ｋｙｎａｍｒｏ（登録商標））がある。
【０１１５】
ＤＰＰ４阻害剤の例としては、ビルダグリプチン、シタグリプチン、デナグリプチン、サキサグリプチン、ベルベリンがある。
【０１１６】
ホルモンの例としては、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストが含まれる。
【０１１７】
多糖類の例としては、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩が含まれる。ポリ硫酸化低分子量ヘパリンの薬学的に許容される塩の例としては、エノキサパリンナトリウムがある。ヒアルロン酸誘導体の例としては、ハイランＧ−Ｆ２０（Ｓｙｎｖｉｓｃ（登録商標））、ヒアルロン酸ナトリウムがある。
【０１１８】
本明細書において使用する用語「抗体」は、免疫グロブリン分子またはその抗原結合部分を指す。免疫グロブリン分子の抗原結合部分の例には、抗原を結合する能力を保持するＦ（ａｂ）およびＦ（ａｂ’）２フラグメントが含まれる。抗体は、ポリクローナル、モノクローナル、組換え型、キメラ型、非免疫型またはヒト化、完全ヒト型、非ヒト型（例えばネズミ）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。例えば、抗体は、アイソタイプもしくはサブタイプ、抗体フラグメントまたは変異体とすることができ、これはＦｃ受容体との結合を支持せず、例えば、突然変異した、または欠失したＦｃ受容体結合領域を有する。用語の抗体はまた、四価二重特異性タンデム免疫グロブリン（ＴＢＴＩ）および／または交差結合領域の配向性を有する二重可変領域抗体様結合タンパク質（ＣＯＤＶ）に基づく抗体結合分子を含む。
【０１１９】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（例えば、抗体重鎖および／または軽鎖ポリペプチド）由来のポリペプチドを指す。抗体フラグメントは、全長抗体ポリペプチドの切断された部分を含むことができるが、この用語はそのような切断されたフラグメントに限定されない。本発明に有用である抗体フラグメントは、例えば、Ｆａｂフラグメント、Ｆ（ａｂ’）２フラグメント、ｓｃＦｖ（一本鎖Ｆｖ）フラグメント、直鎖抗体、単一特異性抗体フラグメント、または二重特異性、三重特異性、四重特異性および多重特異性抗体（例えば、ダイアボディ、トリアボディ、テトラボディ）などの多重特異性抗体フラグメント、一価抗体フラグメント、または二価、三価、四価および多価抗体などの多価抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例が当技術分野で知られている。
【０１２０】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【０１２１】
抗体の例としては、アンチＰＣＳＫ−９ｍＡｂ（例えばアリロクマブ）、アンチＩＬ−６ｍＡｂ（例えばサリルマブ）、およびアンチＩＬ−４ｍＡｂ（例えばデュピルマブ）がある。
【０１２２】
本明細書において説明される任意のＡＰＩの薬学的に許容される塩もまた、薬物送達デバイスにおける薬物または薬剤の使用に企図される。薬学的に許容される塩は、例えば酸付加塩および塩基性塩である。
【０１２３】
当業者は、本明細書に記載の医薬品有効成分、製剤、装置、方法、システム、および実施形態の様々な構成要素を、本発明の全範囲および精神から逸脱することなく修正（追加および／または除去）してもよく、本発明はそのような修正およびそのあらゆる等価物を包含するものであることを理解するであろう。
【図１Ａ】
2018535058.tif 000003
【図１Ｂ】
2018535058.tif 000004
【図２】
2018535058.tif 000005
【図３】
2018535058.tif 000006
【図４】
2018535058.tif 000007
【図５】
2018535058.tif 000008
【図６】
2018535058.tif 000009
【図７】
2018535058.tif 000010
【図８】
2018535058.tif 000011
【図９】
2018535058.tif 000012
【図１０】
2018535058.tif 000013
【図１１】
2018535058.tif 000014
【図１２】
2018535058.tif 000015
【図１３】
2018535058.tif 000016
【図１４ａ】
2018535058.tif 000017
【図１４ｂ】
2018535058.tif 000018
【図１４ｃ】
2018535058.tif 000019
【図１４ｄ】
2018535058.tif 000020
【国際調査報告】
2018535058.tif 000021
2018535058.tif 000022
2018535058.tif 000023
2018535058.tif 000024